(57)【特許請求の範囲】
【請求項１】
電気集塵掃除機の集塵室に着脱可能に装着される集塵袋用のバスケットであって、
前記集塵袋を支持する支持壁と、前記集塵室に装着された状態で上方に開口する開口部とを有し、前記集塵袋がセットされるバスケット本体と、
前記バスケット本体の両側方にて回動自在に枢支され、前記開口部の上方に架け渡されたハンドルと、を備え、
前記集塵室から取り外された状態で、前記バスケット本体の前記開口部が前記ハンドルに対して相対的に下方に回動するのに連動して、前記バスケット本体の前記開口部が左右方向へ広がるように構成されていることを特徴とする電気集塵掃除機用のバスケット。
【請求項２】
前記支持壁は、前記開口部を広げるように変形する変形部を有することを特徴とする請求項１に記載の電気集塵掃除機用のバスケット。
【請求項３】
前記支持壁は２〜３つの構成部材から成り、各構成部材の接続箇所に前記変形部が設けられていることを特徴とする請求項２に記載の電気集塵掃除機用のバスケット。
【請求項４】
前記ハンドルは、前記バスケット本体を前記開口部が下方へ向くように回動させた場合に、該バスケット本体に接触する当接部を有し、
前記バスケット本体は、前記開口部が下方へ向くように前記ハンドルに対して回動した場合に、前記ハンドルの当接部に接触する被当接部を有し、
前記ハンドルと前記バスケット本体とが相対的に回動するのに伴って、前記当接部と前記被当接部とが互いに接触することにより、前記バスケット本体の開口部が広がることを特徴とする請求項１乃至３の何れかに記載の電気集塵掃除機用のバスケット。
【請求項５】
前記支持壁は、前記集塵袋を両側方から支持して上部に前記開口部を形成する一対の側面支持壁と、前記集塵袋を下方から支持する底面支持壁とを有し、
前記ハンドルは前記一対の側面支持壁に対して枢支され、
前記バスケット本体が回動して前記当接部と前記被当接部とが互いに接触した場合に、前記底面支持壁が変形することにより前記開口部が広がることを特徴とする請求項４に記載の電気集塵掃除機用のバスケット。
【請求項６】
前記ハンドルの当接部は所定間隔をあけて両側方に設けられ、
前記バスケット本体の被当接部は、前記当接部に対応して両側方に設けられ、且つ、前記バスケット本体の回動方向上流側の間隔よりも、下流側の間隔の方が広くなっており、
前記底面支持壁は、前記回動方向の上流側部分よりも下流側部分の方が大きく変形可能に構成されていることを特徴とする請求項５に記載の電気集塵掃除機用のバスケット。
【請求項７】
前記バスケット本体は、前記開口部を上方へ向けた状態から、前記ハンドルの枢支点回りの一方向へ回動自在であり、
前記バスケット本体の重心点は、該バスケット本体に対して、前記ハンドルの枢支点回りの他方向へモーメントを発生させるべく、前記枢支位置からオフセットした位置に設けられており、前記バスケット本体には、前記枢支点回りの他方向への回動を、前記ハンドルに接触して係止する係止部が設けられていることを特徴とする請求項１乃至６の何れかに記載の電気集塵掃除機用のバスケット。
【請求項８】
前記バスケット本体は、前記開口部を上方へ向けた状態から、前記ハンドルの枢支点回りの一方向へ回動自在であり、
前記バスケット本体及び前記ハンドルの相対的な回動範囲のうち、前記バスケット本体が前記開口部を上方へ向けた状態のときに、前記バスケット本体と前記ハンドルとを一時的に干渉させる干渉部が備えられていることを特徴とする請求項１乃至６の何れかに記載の電気集塵掃除機用のバスケット。
【請求項９】
前記バスケット本体は、前記開口部を上方へ向けた状態から、前記ハンドルの枢支点回りの一方向へ回動自在であり、
前記バスケット本体及び前記ハンドルの相対的な回動範囲のうち、少なくとも前記バスケット本体が前記開口部を上方へ向けた状態を含む回動区間において、前記バスケット本体及び前記ハンドルの相対的な回動を制限する摩擦部が備えられていることを特徴とする請求項１乃至６の何れかに記載の電気集塵掃除機用のバスケット。
【請求項１０】
前記バスケット本体は、前記開口部を上方へ向けた始点から該開口部を下方へ向けた終点までの回動範囲で、前記ハンドルに対して回動自在であり、
前記終点において前記バスケット本体と前記ハンドルとの相対姿勢を保持する保持部を備えることを特徴とする請求項１乃至９の何れかに記載の電気集塵掃除機用のバスケット。
【請求項１１】
前記ハンドルは、前記バスケット本体に対して接近及び離反する方向へ移動可能であることを特徴とする請求項１乃至１０の何れかに記載の電気集塵掃除機用のバスケット。
【請求項１２】
前記バスケット本体及び前記ハンドルの相対的な回動と接離方向への移動とは択一的に実現可能になっていることを特徴とする請求項１１に記載の電気集塵掃除機用のバスケット。
【請求項１３】
前記ハンドルを前記バスケット本体から離反する方向へ付勢する付勢部を備えることを特徴とする請求項１１又は１２に記載の電気集塵掃除機用のバスケット。
【請求項１４】
前記バスケット本体に対する前記ハンドルの相対位置に関して、外力が作用しない自然状態での位置と、前記付勢部による付勢力に抗って前記バスケット本体に近接する位置との間に、実質的に使用者の手指を挿入可能なだけの寸法が確保されていることを特徴とする請求項１３に記載の電気集塵掃除機用のバスケット。
【請求項１５】
前記ハンドルは、前記バスケット本体の回動方向一方側の端辺と他方側の端辺とで寸法が異なる把持部を有することを特徴とする請求項１乃至１４の何れかに記載の電気集塵掃除機用のバスケット。
【請求項１６】
前記ハンドルは、前記バスケット本体の両側の枢支部分を結ぶように架け渡された把持部と、前記枢支部分を結ぶように前記把持部に並設された補強部とを有することを特徴とする請求項１乃至１５の何れかに記載の電気集塵掃除機用のバスケット。
【請求項１７】
前記バスケット本体は、前記集塵袋の開口を形成する口板を縦置き状態で支持する口板支持部を有し、前記ハンドルは、前記バスケット本体に近接する方向への移動の際に、前記集塵袋の口板の上端部を、前記集塵室における通気上流方向へ押圧する押圧部を有することを特徴とする請求項１１乃至１６の何れかに記載の電気集塵掃除機用のバスケット。
【請求項１８】
集塵室を有する掃除機本体を備え、前記集塵室に請求項１乃至１７の何れかに記載のバスケットが着脱可能に装着された電気集塵掃除機であって、
前記掃除機本体には前記集塵室を開閉する蓋部が設けられ、
前記蓋部には、前記集塵室を閉じた状態で、前記バスケットにセットされた集塵袋の膨張を阻止する膨張阻止部が設けられていることを特徴とする電気集塵掃除機。
【発明の詳細な説明】
【技術分野】
【０００１】
本発明は、電気集塵掃除機の集塵室に着脱可能に装着される集塵袋用のバスケットと、該バスケットが装着された電気集塵掃除機に関する。
【背景技術】
【０００２】
従来、集塵袋をセットしたバスケットを集塵室に装着し、集塵袋に塵埃を捕集するタイプの電気集塵掃除機がある。例えば、特許文献１には、キャスターを具備する本体部内に集塵室及び電動送風機等を備えるキャニスター型の電気掃除機が開示されている。この電気集塵掃除機は、電動送風機の駆動によって塵埃混じりの空気を吸い込み、この空気を集塵袋に通すことで塵埃のみを集塵袋に捕集する。また、集塵室からの集塵袋の取り外しを容易にするため、集塵袋をハンドル付きのバスケットにセットし、このバスケットごと集塵室に装着する構成が開示されている。
【先行技術文献】
【特許文献】
【０００３】
【特許文献１】特開２０００−１０２５００号公報
【発明の概要】
【発明が解決しようとする課題】
【０００４】
確かに、特許文献１に記載された電気掃除機の場合、使用者は、ハンドルを持ってこれを引くことにより、集塵室からバスケットごと集塵袋を容易に取り出すことができる。しかしながら、バスケット内の集塵袋は、捕集した塵埃あるいは使用時の吸引空気の作用により大きく膨張している。従って、膨張した集塵袋はバスケットに対して強固に嵌合した状態にあり、バスケットの開口を下向けにしても集塵袋を容易に離脱させられない。そのため、使用者が直接的に集塵袋を摘んでバスケットから取り外さなければならない場合があるが、衛生面から、集塵袋への直接的な接触は避けることが望ましい。
【０００５】
そこで本発明は、集塵袋を容易に取り外すことのできる電気集塵掃除機用のバスケット、及び該バスケットを備える電気集塵掃除機を提供することを目的とする。
【課題を解決するための手段】
【０００６】
本発明に係るバスケットは、電気集塵掃除機の集塵室に着脱可能に装着される集塵袋用のバスケットであって、前記集塵袋がセットされるバスケット本体を備え、該バスケット本体は、前記集塵袋を支持する支持壁と、前記集塵室に装着された状態で上方に開口する開口部とを有し、前記集塵室から取り外された状態で前記開口部が広がるように構成されている。
【０００７】
このような構成とすることにより、集塵室に装着された状態よりも集塵室から取り外された状態の方がバスケット本体の開口部が広がる。従って、バスケット本体と集塵袋との間に隙間が形成され、両者間の摩擦抵抗が低減するため、バスケット本体から集塵袋を取り外しやすくなる。
【０００８】
また、前記支持壁は、前記開口部を広げるように変形する変形部を有していてもよい。
【０００９】
このように、変形部を定めておくと、変形後のバスケット本体の全体形状もほぼ一定形状に見積もることができる。そのため、開口部を所望の具合に広げる設計が容易になり、集塵袋を容易に取り外すことのできるバスケットを、より確実に実現することができる。また、バスケット本体を１部品となるよう鋳造等で一体成形することも可能であり、この場合、微細な塵埃によってバスケットに不具合が生じるのを抑制することができる。なお、変形部としては、Ｕ字やＶ字の形状を成すもの、薄肉化したもの、変形しやすい材質で構成したものなど、他の部位より変形しやすい様々の具体的構成を採用することができる。
【００１０】
また、前記支持壁は２〜３つの構成部材から成り、各構成部材の接続箇所に前記変形部が設けられていてもよい。
【００１１】
この場合にも、変形後のバスケット本体の全体形状もほぼ一定形状に見積もることができる。そのため、開口部を所望の具合に広げる設計が容易になり、集塵袋を容易に取り外すことのできるバスケットを、より確実に実現することができる。なお、構成部材の接続箇所に設ける変形部としては、ヒンジや、他の部位とは異なる変形容易な材質で構成したものなど、それ自身が変形する様々の具体的な構成物を採用することができる。また、変形部によって連結された各構成部材に磁石及び強磁性体を取り付け、各構成部材同士を固定的に接続して変形前の形状を一定に維持できるようにしてもよい。
【００１２】
また、前記バスケット本体の両側方にて回動自在に枢支され、前記開口部の上方に架け渡されたハンドルを備えていてもよい。
【００１３】
このような構成とすることにより、使用者は、ハンドルを持ってバスケット本体を電気集塵掃除機から容易に取り出すことができる。また、片手でハンドルを把持し、もう片手でバスケット本体を回動させて開口部を下方へ向けるなど、集塵袋をバスケット本体から取り外す作業を容易に行える。
【００１４】
また、前記ハンドルは、前記バスケット本体を前記開口部が下方へ向くように回動させた場合に、該バスケット本体に接触する当接部を有し、前記バスケット本体は、前記開口部が下方へ向くように前記ハンドルに対して回動した場合に、前記ハンドルの当接部に接触する被当接部を有し、前記ハンドルと前記バスケット本体とが相対的に回動するのに伴って、前記当接部と前記被当接部とが互いに接触することにより、前記バスケット本体の開口部が広がるように構成してもよい。
【００１５】
このような構成とすることにより、バスケット本体を開口部が下方へ向くように回動させる操作と、バスケット本体の開口部を広げる操作とを別々に行う必要がない。即ち、バスケット本体を回動させる操作をすれば、これに伴って開口部を広げることができる。従って、より容易な操作によって、バスケット本体から集塵袋を離脱させることができる。
【００１６】
また、前記支持壁は、前記集塵袋を両側方から支持して上部に前記開口部を形成する一対の側面支持壁と、前記集塵袋を下方から支持する底面支持壁とを有し、前記ハンドルは前記一対の側面支持壁に対して枢支され、前記バスケット本体が回動して前記当接部と前記被当接部とが互いに接触した場合に、前記底面支持壁が変形することにより前記開口部が広がるように構成してもよい。
【００１７】
また、前記ハンドルの当接部は所定間隔をあけて両側方に設けられ、前記バスケット本体の被当接部は、前記当接部に対応して両側方に設けられ、且つ、前記バスケット本体の回動方向上流側の間隔よりも、下流側の間隔の方が広くなっており、前記底面支持壁は、前記回動方向の上流側部分よりも下流側部分の方が大きく変形可能に構成されていてもよい。
【００１８】
また、前記バスケット本体は、前記開口部を上方へ向けた状態から、前記ハンドルの枢支点回りの一方向へ回動自在であり、前記バスケット本体の重心点は、該バスケット本体に対して、前記ハンドルの枢支点回りの他方向へモーメントを発生させるべく、前記枢支位置からオフセットした位置に設けられており、前記バスケット本体には、前記枢支点回りの他方向への回動を、前記ハンドルに接触して係止する係止部が設けられていてもよい。
【００１９】
このような構成とすることにより、使用者がハンドルを把持した状態で、バスケット本体が使用者の意図とは無関係に回動してしまうのを防止することができる。また、ハンドルに対するバスケット本体のガタツキを抑制でき、使用者は、ハンドル及びバスケット本体を一体的に持ち運ぶことができる。
【００２０】
また、前記バスケット本体は、前記開口部を上方へ向けた状態から、前記ハンドルの枢支点回りの一方向へ回動自在であり、前記バスケット本体及び前記ハンドルの相対的な回動範囲のうち、前記バスケット本体が前記開口部を上方へ向けた状態のときに、前記バスケット本体と前記ハンドルとを一時的に干渉させる干渉部が備えられていてもよい。
【００２１】
この場合にも、使用者がハンドルを把持した状態で、バスケット本体が使用者の意図とは無関係に回動してしまうのを防止することができる。また、ハンドルに対するバスケット本体のガタツキを抑制でき、使用者は、ハンドル及びバスケット本体を一体的に持ち運ぶことができる。
【００２２】
また、前記バスケット本体は、前記開口部を上方へ向けた状態から、前記ハンドルの枢支点回りの一方向へ回動自在であり、前記バスケット本体及び前記ハンドルの相対的な回動範囲のうち、少なくとも前記バスケット本体が前記開口部を上方へ向けた状態を含む回動区間において、前記バスケット本体及び前記ハンドルの相対的な回動を制限する摩擦部が備えられていてもよい。
【００２３】
この場合にも、使用者がハンドルを把持した状態で、バスケット本体が使用者の意図とは無関係に回動してしまうのを防止することができる。また、ハンドルに対するバスケット本体のガタツキを抑制でき、使用者は、ハンドル及びバスケット本体を一体的に持ち運ぶことができる。
【００２４】
また、前記バスケット本体は、前記開口部を上方へ向けた始点から該開口部を下方へ向けた終点までの回動範囲で、前記ハンドルに対して回動自在であり、前記終点において前記バスケット本体と前記ハンドルとの相対姿勢を保持する保持部を備えていてもよい。
【００２５】
このような構成とすることにより、ハンドルに対してバスケット本体が過剰に回動するのを防止でき、回動し過ぎによる損耗などの不具合が生じるのを防止することができる。また、開口部を下方へ向けた状態でバスケット本体の姿勢を固定できるため、ハンドルを持ってバスケットを上下に揺する際にバスケット本体が不安定に動くことがない。従って、使用者は、開口部が下方になる姿勢でバスケット本体を揺することにより、集塵袋をより確実に離脱させることができる。
【００２６】
また、前記ハンドルは、前記バスケット本体に対して接近及び離反する方向へ移動可能であってもよい。
【００２７】
このような構成とすることにより、バスケットを集塵室から取り出すときに、ハンドルを上方（バスケット本体から離反する方向）へ移動させれば、ハンドルと集塵袋との間に隙間を形成できる。従って、この隙間に手指を入れればハンドルを把持しやすくなり、バスケットを集塵室から取り出し易くなる。
【００２８】
また、前記バスケット本体及び前記ハンドルの相対的な回動と接離方向への移動とは択一的に実現可能になっていてもよい。
【００２９】
このような構成とすることにより、回動しながら移動もするといった複雑な変位を制限し、操作性の向上を図ることができる。
【００３０】
また、前記ハンドルを前記バスケット本体から離反する方向へ付勢する付勢部を備えていてもよい。
【００３１】
このような構成とすることにより、例えば掃除機本体の蓋部が開いたときに、付勢力によってハンドルを上昇させることができる。従って、集塵袋とハンドルとの間に隙間を形成でき、ここに手指を入れてハンドルを把持しやすくなる。
【００３２】
また、前記バスケット本体に対する前記ハンドルの相対位置に関して、外力が作用しない自然状態での位置と、前記付勢部による付勢力に抗って前記バスケット本体に近接する位置との間に、実質的に使用者の手指を挿入可能なだけの寸法が確保されていてもよい。
【００３３】
このような構成とすることにより、バスケットを取り出す際に、集塵袋とハンドルとの間に隙間を形成でき、ここに手指を入れてハンドルを把持しやすくなる。このような寸法としては、例えば、１０ｍｍ程度を採用することができる。
【００３４】
また、前記ハンドルは、前記バスケット本体の回動方向一方側の端辺と他方側の端辺とで寸法が異なる把持部を有することとしてもよい。
【００３５】
このような構成とすることにより、短寸の端辺に親指を対応させ、長寸の端辺に他の４本指を対応させるようにすれば、ハンドルを把持しやすくなる。
【００３６】
また、前記ハンドルは、前記バスケット本体の両側の枢支部分を結ぶように架け渡された把持部と、前記枢支部分を結ぶように前記把持部に並設された補強部とを有していてもよい。
【００３７】
このような構成とすることにより、使用者が把持するハンドルの剛性が向上するため、使用時の安定感が高まる。また、ハンドルの当接部とバスケット本体の被当接部とが接触する構成においては、当該接触によるハンドルの変形を防止し、バスケット本体を開口部が広がるようにより確実に変形させることができる。
【００３８】
また、前記バスケット本体は、前記集塵袋の開口を形成する口板を縦置き状態で支持する口板支持部を有し、前記ハンドルは、前記バスケット本体に近接する方向への移動の際に、前記集塵袋の口板の上端部を、前記集塵室における通気上流方向へ押圧する押圧部を有していてもよい。
【００３９】
このような構成とすることにより、集塵室に流れ込んでくる塵埃混じりの空気を、より確実に集塵袋内へ取り込むことができる。
【００４０】
本発明に係る電気集塵掃除機は、集塵室を有する掃除機本体を備え、前記集塵室に上述した何れかのバスケットが着脱可能に装着された電気集塵掃除機であって、前記掃除機本体には前記集塵室を開閉する蓋部が設けられ、前記蓋部には、前記集塵室を閉じた状態で、前記バスケットにセットされた集塵袋の膨張を阻止する膨張阻止部が設けられている。
【００４１】
このような構成とすることにより、集塵室内に余剰空間を形成できるため、掃除機の駆動時にこの余剰空間を空気の流路とすることができる。例えば、集塵室の通気下流端近傍では集塵袋内に大量の塵埃が貯留するため、この部分での空気の流れは滞り気味になる。従って、この部分以外のところで集塵袋の膨張を阻止し、余剰空間を形成すれば、円滑な空気の流れを維持でき、塵埃の捕集性能を高く維持することができる。また、ハンドル近傍に余剰空間を形成することとすれば、ハンドルと集塵袋との間に手指を入れやすくもなる。
【発明の効果】
【００４２】
本発明に係る電気集塵掃除機用のバスケット及び電気集塵掃除機によれば、集塵袋を容易に取り外すことができる。
【図面の簡単な説明】
【００４３】
【図１】本発明の実施の形態１に係るバスケットを備えた電気集塵掃除機の全体を示す外観斜視図である。
【図２】蓋部を開いた状態の掃除機本体を示す外観斜視図である。
【図３】バスケットの構成を示す外観斜視図である。
【図４】ハンドルの平面図である。
【図５】左側の連結機構の拡大図である。
【図６】バスケット本体に対してハンドルがスライドする態様を示す図面である。
【図７】集塵袋がセットされたバスケットの断面図であり、蓋部の開放前後の様子（収縮状態及び均衡状態）を夫々示している。
【図８】バスケット本体に対してハンドルが回動する態様を示す図面である。
【図９】バスケット本体の自然回動を防止するための構成を説明するバスケットの側面図である。
【図１０】バスケット開口部を拡縮させる構成を示す図面であり、バスケット本体の底面支持壁を望む平面図とその断面図とを示している。
【図１１】バスケット開口部の広がる様子を示す背面図であり、通常状態（広がる前の状態）のバスケット本体と、広がった状態のバスケット本体とを示している。
【図１２】バスケット本体の回動とバスケット開口部の拡口とを連動させる構成を説明するための図面であり、バスケットの正面図と底面図と側面図とを示している。
【図１３】ハンドルに対してバスケット本体を回動させ、バスケット開口部が広がる様子を示す斜視図である。
【図１４】バスケットを集塵室に収納した状態（収縮状態）のときに、集塵袋の口板をハンドルが支持する構成を示すバスケットの側面図である。
【図１５】掃除機本体の蓋部に設けられた膨張阻止部を示す斜視図である。
【図１６】膨張阻止部を有する蓋部を閉じた状態の掃除機本体の前部断面図である。
【図１７】バスケット本体の自然回動を防止するための他の構成を説明するバスケットの側面図である。
【発明を実施するための形態】
【００４４】
以下、本発明の実施の形態を、図面を参照しながら説明する。
【００４５】
（電気集塵掃除機の全体構成）
図１は、本発明の実施の形態に係るバスケットを備えた電気集塵掃除機の全体構成を示す外観斜視図である。本実施の形態では、電気集塵掃除機（以下、単に「掃除機」と称する）としていわゆるキャニスター型のものを例示するが、バスケットに集塵袋をセットしてこれらを掃除機本体内に装着して使用するものであれば、他のタイプの掃除機にも適用することができる。
【００４６】
図１に示すように、掃除機１は、蓋部２を有する掃除機本体３、該掃除機本体３に一端が接続された吸引ホース４、該吸引ホース４の他端に接続された操作部５、該操作部５から延びる吸引パイプ６、及び該吸引パイプ６の先端に接続された吸引ノズル７を備えている。この掃除機１は、使用者が操作部５に設けられたスイッチを操作して駆動させ、操作部５を把持して吸引ノズル７を床面に沿って移動させることにより、床面に散在する塵埃を空気と共に吸い込み、掃除機本体３内に捕集することができる。
【００４７】
図２は、蓋部２を開いた状態の掃除機本体３を示す外観斜視図である。図２に示すように、掃除機本体３の筐体１０の内部は、前側の集塵室１１と後側の機械室１２とに区分けされている。筐体１０の前壁部には、筐体１０の内外を貫通すると共に集塵室１１と連通する吸気孔１３が形成されており、該吸気孔１３には外側から吸引ホース４の一端が接続される。集塵室１１には、集塵袋２１がセットされた状態のバスケット２０が着脱可能に装着されている。
【００４８】
本実施の形態に示す集塵袋２１は、中央部分に集塵孔２１ａを有する矩形状の口板２１ｂと、該口板２１ｂの裏面に接続された袋体２１ｃとで構成されている。袋体２１ｃは、通気性のある素材で構成されて膨縮可能になっており、その内部空間は集塵孔２１ａに連通している。このような集塵袋２１は、口板２１ｂの表面を前方へ向けた状態で集塵室１１に収容され、袋体２１ｃの内部空間は、集塵孔２１ａを介して筐体１０の吸気孔１３と連通する。
【００４９】
機械室１２には、電動送風機（図示せず）が収容されている。この電動送風機を駆動すると、吸引ノズル７で吸い込まれた塵埃混じりの空気が、吸気孔１３及び集塵孔２１ａを通じて集塵袋２１内に取り込まれる。そして、集塵袋２１内に塵埃だけが捕集され、塵埃が除去された空気は集塵袋２１から出て筐体１０内を通流し、筐体１０に設けられた排気口（図示せず）から外部へ排出される。
【００５０】
なお、本実施の形態では、上述したように掃除機本体３において吸気孔１３が設けられている側を前方とし、その反対側の後方とする。そして、左右の方向については、前方を向いたときを基準として規定する。また、バスケット２０及び集塵袋２１についても、上述したようにして集塵室１１に装着された状態を基準とし、同様の方向の概念を適用する。
【００５１】
筐体１０の上部には、掃除機本体３を平面視したときの面積とほぼ等しい開口面積を有する大開口１４が形成されており、これを覆うように蓋部２が設けられている。蓋部２は、その後端部２ａが筐体１０の後部にヒンジ等で接続され、この後端部２ａを基点として前端部２ｂを上下に回動することにより、大開口１４を開閉可能になっている。そして、蓋部２を開くと集塵室１１及び機械室１２が露出し、大開口１４を通じてバスケット２０を集塵室１１に対して着脱することができる。
【００５２】
（バスケットの外観構造）
図３は、バスケット２０の構成を示す外観斜視図である。図３に示すように、バスケット２０はバスケット本体２０Ａとハンドル２０Ｂとを備えている。
【００５３】
バスケット本体２０Ａは、集塵袋２１を収容してこれを支持する支持壁を備えている。この支持壁は、集塵袋２１を両側方から支持する左右一対の側面支持壁３０と、集塵袋２１を下方から支持する底面支持壁３１とを有している。このうち左右の側面支持壁３０は、膨張する集塵袋２１の袋体２１ｃを包み込むようにして支持すべく、内面が左右外方へ窪んでおり、且つ、袋体２１ｃを通過した空気を通す小径の通気孔３０ａが内外を貫通して複数形成されている。また、左右の側面支持壁３０の上端部は、後部から前部へ向かうに従って下方に位置するように前傾して形成されている。換言すれば、側面支持壁３０は、下端部から上端部までの高さ寸法が、後部から前部へ向かうに従って小さくなるように構成されている。
【００５４】
底面支持壁３１は、左右の側面支持壁３０の下端部を接続しており、後述する変形部（図１０の変形部７３，７７参照）を有している。バスケット本体２０Ａは、これら左右の側面支持壁３０と底面支持壁３１とによって集塵袋２１を左右及び下方から支持する構成であり、左右の側面支持壁３０の上部間には、集塵袋２１を着脱する際に該集塵袋２１が通過するバスケット開口部３３が形成されている。
【００５５】
バスケット本体２０Ａの前部には、集塵袋２１の口板２１ｂを支持する左右の口板支持部３４が設けられている。この口板支持部３４は、左右の中心方向へ湾曲した側面支持壁３０の前端部から、クランク状に屈曲して左右の中心方向へ延設された部分として形成されている。より詳しく説明すると、左右の各口板支持部３４は、側面支持壁３０の前端部から所定寸法だけ前方へ延設された側壁部３４ａと、該側壁部３４ａの前端部から左右の中心方向へ向かって延設された前壁部３４ｂとを有している。そして、集塵袋２１の口板２１ｂ（図２参照）は、左右の側壁部３４ａの間に挟持されるようにして縦置き状態で支持され、前方からは前壁部３４ｂによって支持される。
【００５６】
また、口板支持部３４が有する左右の前壁部３４ｂは、その下部間は小さい寸法Ｌ１だけ離隔し、上部間はそれより大きく且つ口板２１ｂの集塵孔２１ａの径よりも大きい寸法Ｌ２だけ離隔している。従って、集塵袋２１がバスケット本体２０Ａにセットされた状態では、前壁部３４ｂは、集塵孔２１ａを塞ぐことなく（露出させた状態で）口板２１ｂの左右部分と下部とを支持する。なお、口板支持部３４は、口板２１ｂよりも小さい高さ寸法に設定されているため、集塵袋２１がバスケット本体２０Ａにセットされたとき、口板２１ｂの上部は口板支持部３４の上方に突出した状態となる。
【００５７】
図４は、ハンドル２０Ｂの平面図である。図３及び図４に示すように、ハンドル２０Ｂは、集塵袋２１の上部を支持する上側支持部４０と、集塵袋２１の前部且つ上部の左右部分を支持するコーナー支持部４１と、上側支持部４０の左右の端部から夫々下方へ延設されて下部にてバスケット本体２０Ａに連結するアーム部４２とを備えている。
【００５８】
上側支持部４０は、バスケット開口部３３の上方を左右に架け渡された把持部４３を有している。この把持部４３は、前後幅がほぼ一定の帯板状を成し、前後の各端辺の長さ寸法が異なっている。具体的には、図４に示すように、前側端辺４３ａの長さ寸法Ｌ３に比べて後側端辺４３ｂの長さ寸法Ｌ４の方が大きく設定されている。従って、使用者が、集塵袋２１をセットしたバスケット２０を集塵室１１へ装着したり取り外したりする際に、短寸の前側端辺４３ａに手の親指を対応させ、長寸の後側端辺４３ｂに残りの四本指を対応させるようにすれば、把持部４３を掴みやすい構成となっている。
【００５９】
上側支持部４０は、上記把持部４３に並設された補強部４４を有している。この補強部４４は、把持部４３と同様に左右に架け渡された帯板状を成し、その主面は前後方向に向けられている。一方、上述した把持部４３は、主面が上下方向に向けられている。このように主面の向きが異なる把持部４３及び補強部４４が並設されることにより、ハンドル２０Ｂは剛性の向上が図られている。
【００６０】
また、バスケット２０が集塵室１１に装着された状態では、把持部４３は、吸気により膨張する集塵袋２１の上面を支持し、補強部４４は上部後面を支持する。また、把持部４３と補強部４４との間はハンドル後側開口部４５となっている。従って、使用者がハンドル２０Ｂを把持する際には、このハンドル後側開口部４５を通じて親指以外の四本指を挿通することにより、把持部４３を掴むことができる。
【００６１】
コーナー支持部４１は、上側支持部４０の左右部分とアーム部４２の上部とから、一体的に前方へ延設されており、吸気により膨張する集塵袋２１の前部且つ上部の左右部分を覆うようにして支持する。なお、把持部４３と左右のコーナー支持部４１との間には、矩形状のハンドル前側開口部４６が形成されている。
【００６２】
（連結機構）
バスケット本体２０Ａとハンドル２０Ｂとは連結機構５０を介して接続されており、以下に説明するように、この連結機構５０によって両者は相対的にスライド動作と回動動作とが可能になっている。
【００６３】
図５は、左側の連結機構５０の拡大図である。この連結機構５０は、バスケット本体２０Ａの左右の側面支持壁３０と、ハンドル２０Ｂの左右のアーム部４２とを夫々連結する構成である。なお、左右の連結機構５０は互いに対称的な構成となっているため、以下では図５に示す左側の連結機構５０についてのみ説明する。図５に示すように、連結機構５０は、バスケット本体２０Ａの側面支持壁３０から外側方へ突設された軸部５１と、ハンドル２０Ｂのアーム部４２の下部に形成されたスリット５２とを有している。
【００６４】
軸部５１の基部は、側面視で前部が欠如した略半円形状を成しており、その周面は、前側に位置する上下方向に沿った平坦面５１ａと、後側に位置する円弧面５１ｂとで構成されている。軸部５１の先端部は、上記基部と同様の側面視形状になっているが、これに加えて、円弧面５１ｂの一部から径方向に突出した突出部５１ｃが備えている。
【００６５】
スリット５２は上下方向に直線状に延設されており、軸部５１の基部の幅（前後の幅）と略同一寸法の幅を有している。スリット５２の上端部５２ａは、軸部５１の基部形状に整合するように、円弧状の輪郭を有するように形成されている。また、スリット５２の下端部には、円形の軸受孔５２ｂが形成されている。この軸受孔５２ｂは、軸部５１の円弧面５１ｂを規定する径と略同一径を有する円形であり、従ってスリット５２よりも幅広になっている。
【００６６】
このような連結機構５０の構成により、バスケット本体２０Ａとハンドル２０Ｂとは、相対的に接近及び離反する方向（上下方向）へのスライドと前後方向への回動とが選択的に実行可能になっている。
【００６７】
（スライドの態様）
図６は、バスケット本体２０Ａに対してハンドル２０Ｂがスライドする態様を示す図面である。図６に示すように、ハンドル２０Ｂは、スリット５２内を軸部５１が移動する範囲（スライド範囲；距離Ｄ１）内で上下方向にスライド可能である。また、上述したように軸部５１の前部には上下方向に沿った平坦面５１ａが設けられ、これに当接するスリット５２の前側縁部も、上下方向に沿って直線状に延びている。従って、ハンドル２０Ｂが上下方向にスライドする際、前後方向へのガタツキが防止される。
【００６８】
また、バスケット２０には、ハンドル２０Ｂをバスケット本体２０Ａから離反する方向（上方）へ付勢する付勢部６０が設けられている。具体的には、図６に示すように、バスケット本体２０Ａの左右の側面支持壁３０の後側上部には、弾性体６１が収容部６２内に収容された状態で設けられている。本実施の形態では、この弾性体６１はコイルバネを用いており、上下方向に伸縮可能な姿勢で配置されている。一方、ハンドル２０Ｂの上側支持部４０の左右の下部であって、アーム部４２の後方部分には、弾性体６１に上方から対向する押圧部６３が設けられている。
【００６９】
付勢部６０は、ハンドル２０Ｂがスライド範囲の途中位置（以下、「均衡位置」）にあるときに、押圧部６２が弾性体６１の上端に接触しつつ、バンドル２０Ｂの自重と弾性体６１の付勢力とが均衡するように構成されている。従って、図６に示すようにスライド範囲（距離Ｄ１）には、弾性体６１によりハンドル２０Ｂが上方へ付勢される下側区間（距離Ｄ２）と、弾性体６１と押圧部６２とが離反し、付勢力が作用しない状態でハンドル２０Ｂがスライド可能な上側区間（距離Ｄ３）とがある。本実施の形態では、下側区間については距離Ｄ２＝１５ｍｍ，上側区間については距離Ｄ３＝２０ｍｍに設定されている。
【００７０】
本実施の形態に係る掃除機１では、バスケット２０が集塵室１１へ装着され、蓋部２が開放された状態のとき、ハンドル２０Ｂは上記「均衡位置」にある（図６中の「均衡状態」参照）。そして、掃除機１の蓋部２を閉じると、ハンドル２０Ｂは蓋部２の内面によって均衡位置から下方へ押圧され、スライド範囲の下端近傍の「収縮位置」に達することとなる（図６中の「収縮状態」参照）。一方、均衡位置から使用者が把持部４３を掴んでバスケット２０を持ち上げると、ハンドル２０Ｂは上方へスライドし、スライド範囲の上端の「伸長位置」に達したところで、バスケット本体２０Ａ（及び集塵袋２１）はハンドル２０Ｂに吊り下げられた状態となる（図６中の「伸長状態」参照）。従って、このときバスケット２０全体が集塵室１１から引き出される。
【００７１】
図７は、集塵袋２１がセットされたバスケット２０の断面図であり、蓋部２の開放前後の様子（収縮状態及び均衡状態）を夫々示している。この図７に示すように、集塵室１１に装着されて収縮状態にあるバスケット２０は、掃除機１の蓋部２を開くと、弾性体６２の付勢力によりハンドル２０Ｂが距離Ｄ２だけ自動的に上昇して均衡位置に至る。従って、集塵袋２１が吸気によって最大に膨張した状態であっても、バスケット２０を取り出す際には、ハンドル２０Ｂが上昇して集塵袋２１の上面との間に高さ寸法Ｄ２の隙間が形成されるため、使用者が把持部４３を掴みやすくなっている。このため本実施の形態では、距離Ｄ２の設定基準として、使用者の手指を挿入可能なだけの寸法を想定している。
【００７２】
ところで、バスケット２０には、上述した連結機構５０の他にも、ハンドル２０Ｂの上下スライド時のガタツキを防止するためのガイド（上側ガイド６５，下側ガイド６６）を備えている。
【００７３】
上側ガイド６５は、弾性体６１の収容部６２に一体的に形成されている。即ち、図６に示すように収容部６２は側面視で縦長の略矩形状を成し、その前端面６５ａは、ハンドル２０Ｂのアーム部４２の後端面に対して後方から摺動可能に当接している。また、収容部６２の下部からは前方へ支持片６５ｂが延設されており、該支持片６５ｂはアーム部４２の外側面に対して外側方から摺動可能に当接している。これらの前端面６５ａ及び支持片６５ｂは、軸部５１よりも上方に位置する上側ガイド６５を成し、上下摺動時のアーム部４２を後方及び外側方からガイドする。
【００７４】
一方、バスケット本体２０Ａの側面支持壁３０には、軸部５１よりも下方に位置する下側ガイド６６が設けられている。下側ガイド６６は、アーム部４２が上下にスライドする際の後端面の軌道に沿うように、上下方向に延びる案内壁６６ａを有している。また、案内壁６６ａの後部には、該案内壁６６ａの背面と側面支持壁３０の外側面との間を接続する補強リブ６６ｂが設けられている。このような案内壁６６ａ及び補強リブ６６ｂは、軸部５１よりも下方に位置する下側ガイド６６を成し、上下摺動時のアーム部４２を後方からガイドする。
【００７５】
このようなガイド６５，６６により、ハンドル２０Ｂが収縮位置と伸長位置との間でスライドする間、安定的にこれをガイドすることができ、ハンドル２０Ｂのガタツキを防止している。但し、このようなガイドの付加は任意であり、付加するとしても上側ガイド６５及び下側ガイド６６のうち何れか一方のみとしてもよい。また、上側ガイド６５を付加する場合にも、支持片６５ｂを省略してもよい。
【００７６】
なお、アーム部４２の下部は所定径寸法Ｄ４の円弧形状になっている。そして、下側ガイド６６の案内壁６６ａの上端は、軸部５１の中心から少なくともこの寸法Ｄ４だけ離隔して位置している。換言すれば、ハンドル２０Ｂが伸長位置にあるとき、下側ガイド６６と軸部５１との最短距離は寸法Ｄ４以上に設定されている。従って、下側ガイド６６は上下摺動時のアーム部４２をガイド可能であり、且つ、ハンドル２０Ｂが伸長位置にあるときには軸部５１回りのアーム部４２の回動を妨げないようになっている。
【００７７】
（回動の態様）
図８は、バスケット本体２０Ａに対してハンドル２０Ｂが回動する態様を示す図面である。図８に示すように、バスケット本体２０Ａとハンドル２０Ｂとは、ハンドル２０Ｂが伸長位置にあるとき、即ち、軸部５１がスリット５２の下端の軸受孔５２ｂに位置する場合に回動可能になっている。
【００７８】
その回動範囲は、ハンドル２０Ｂがバスケット本体２０Ａに対して上方に位置する姿勢Ｂ１から、バスケット本体２０Ａの前方に位置する姿勢Ｂ２を経て、下方に位置する姿勢Ｂ３に至る範囲となっている。ハンドル２０Ｂを固定してバスケット本体２０Ａを回動する観点で言えば、バスケット本体２０Ａのバスケット開口部３３を上方へ向けた姿勢（始点）Ｂ１から、バスケット開口部３３を後方へ向けた姿勢Ｂ２を経て、下方へ向けた姿勢（終点）Ｂ３に至る範囲で、回動可能になっている。
【００７９】
この回動範囲のうち姿勢Ｂ１側の限度は、アーム部４２の後端面が上側ガイド６５の前端面６５ａに当接することによって規定される。一方、バスケット本体２０Ａの側面支持壁３０の下部には、バスケット本体２０Ａ及びハンドル２０Ｂを姿勢Ｂ３の状態で保持する保持部６７が突設されている。そして、回動範囲のうち姿勢Ｂ３側の限度は、ハンドル２０Ｂのコーナー支持部４１がこの保持部６７に当接することによって規定される。その結果、バスケット本体２０Ａに対するハンドル２０Ｂの回動範囲は、本実施の形態では略１６５度としている。但し、採用できる回動範囲の具体的数値はこれに限られず、適宜選択することができる。
【００８０】
図９は、バスケット本体２０Ａの自然回動を防止するための構成を説明するバスケット２０の側面図である。図９に示すように、バスケット本体２０Ａには軸部５１より前方へオフセットした位置に重心Ｇが設定されている。従って、バスケット本体２０Ａには、その自重により軸部５１を中心とする反時計回り方向にモーメントが生じ、前傾する方向に回動しようとする。しかしながら、上側ガイド６５の前端面６５ａがアーム部４２の後端面に当接しているため、上側ガイド６５と一体を成すバスケット本体２０Ａは上側ガイド６５に係止され、前傾する方向への回転が阻止される。このように、軸部５１からオフセットした重心Ｇと、アーム部４２に係止される係止部を兼ねる上側ガイド６５とにより、バスケット本体２０Ａは安定的にバスケット開口部３３を上方へ向けた状態を維持できるようになっている。
【００８１】
（バスケット本体の拡口構造）
ところで、本実施の形態に係るバスケット２０は、集塵室１１から取り出された状態でバスケット開口部３３が広がり、バスケット本体２０Ａから集塵袋２１を取り出しやすくなっている。以下では、このようにバスケット開口部３３が広がるための構成（拡口構造）について説明する。
【００８２】
（変形部）
図１０は、バスケット開口部３３を拡縮させる構成を示す図面であり、バスケット本体２０Ａの底面支持壁３１を望む平面図とその断面図とを示している。図１１は、バスケット開口部３３の広がる様子を示す背面図であり、通常状態（広がる前の状態）のバスケット本体２０Ａと、広がった状態のバスケット本体２０Ａとを示している。
【００８３】
図１０に示すように、バスケット本体２０Ａの底面支持壁３１は、横長の空隙部７０を挟んで前側に位置する前側底壁７１と、後側に位置する後側底壁７５とを有している。前側底壁７１及び後側底壁７５は、何れも前後方向の幅寸法が一定の帯状を成し、前側底壁７１よりも後側底壁７５の方が大きい幅寸法を有している。
【００８４】
前側底壁７１は、水平方向に沿って延びる左右の平板部７２を有し、その間には前側変形部７３が設けられている。この前側変形部７３は、断面がＵ字状（本実施の形態では高さ寸法Ｈ１の上に凸の逆Ｕ字状）を成しており、左右の平板部７２と共に樹脂等によって一体成形されている。このような構成により、前側変形部７３は剛性が小さく（可撓性が高く）なっている。従って、前側底壁７１は前側変形部７３において変形しやすく、中央部分に対して左右部分が下方に位置するように湾曲させることができる（図１０中のＡ−Ａ断面図に表示した矢印参照）。
【００８５】
なお、平面図に示すように、前側底壁７１の左右の平板部７２は、口板支持部３４の左右の前壁部３４ｂの下部に接続されている。従って、左右の平板部７２は、前壁部３４ｂによって変形が阻害される。一方、左右の前壁部３４ｂの下部間は寸法Ｌ１だけ離隔しており（図３参照）、前側変形部７３は前壁部３４ｂに接続されていないフリーな状態になっている。従って、前側底壁７１は、平板部７２よりも前側変形部７３の方がより変形しやすい構成となっている。
【００８６】
後側底壁７５は、中央の平板部７６を挟んで左右に後側変形部７７が設けられている。これらの後側変形部７７も、断面がＵ字状（本実施の形態では高さ寸法Ｈ２の上に凸の逆Ｕ字状）を成しており、平板部７６と共に樹脂等によって一体成形されている。また、平板部７６には底面視で円形状を成す凹部７６ａが形成されている。この凹部７６ａの周縁の段部が底面視で円弧状を成すことにより、平板部７６は剛性が高く（可撓性が小さく）なっている。
【００８７】
従って、後側底壁７５は左右の後側変形部７７において変形しやすく、中央部分に対して左右部分が下方に位置するように湾曲させることができる（図１０中のＢ−Ｂ断面図に表示した矢印参照）。しかも、本実施の形態に係るバスケット本体２０においては、図１０に示すように、前側変形部７３（高さ寸法Ｈ１）の方が後側変形部７７（高さ寸法Ｈ２）よりも上下寸法が大きくなるように設定されている。そのため、前側底壁７１の方が後側底壁７５よりも剛性が小さく湾曲しやすくなっている。従って、集塵袋２１を廃棄する際、バスケット本体２０と袋体２１ｃとの摩擦よりも、バスケット本体２０と口板２１ｂとの摩擦の方が大きい場合であっても、バスケット本体２０の前側部分をより大きく広げ、口板２１ｂをバスケット本体２０からより確実に離脱させることができる。
【００８８】
このような構成により、図１１に示すようにバスケット開口部３３は、通常状態（上段図）に比べて、大きく広がった状態（下段図）に変化できるようになっている。即ち、バスケット本体２０Ａは、底面支持壁３１が湾曲すると、左右の側面支持壁３０は、上方へ向かうに従って離隔距離が大きくなるように開いた状態となる。その結果、バスケット開口部３３は、通常状態（開口幅Ｌ５）から、より大きい開口幅Ｌ６を有する状態（下段図）へと変形する。
【００８９】
（回動と拡口の連動）
バスケット２０は上述したようにバスケット開口部３３が広がるものであるが、本実施の形態に係るバスケット２０は更に、ハンドル２０Ｂに対してバスケット本体２０Ａを回動させるのに連動してバスケット開口部３３が広がるように構成されている。以下、このような回動と拡口の連動を実現する構成について詳述する。
【００９０】
図１２は、バスケット本体２０Ａの回動とバスケット開口部３３の拡口とを連動させる構成を説明するための図面であり、バスケット２０の正面図と底面図と側面図とを示している。図１３は、ハンドル２０Ｂに対してバスケット本体２０Ａを回動させ、バスケット開口部３３が広がる様子を示す斜視図である。図１２に示すように、ハンドル２０Ｂの左右のコーナー支持部４１には当接部８０が設けられ、バスケット本体２０Ａの底面支持壁３１には前記当接部８０に対応する被当接部８１が設けられている。このうち左右の当接部８０は、本実施の形態においては前方且つ下方へ突出する角部として形成されており、互いに一定の間隔Ｌ７だけ離隔して左右に配置されている。
【００９１】
一方、被当接部８１は、左右の外側方へ向けた面として形成されており、前側部分（回動方向の下流側部分）の間隔Ｌ８に比べて、後側部分（回動方向の上流側部分）の間隔Ｌ９の方が大きくなっている。また、当接部８０の間隔Ｌ７は、被当接部８１の前側部分の間隔以上であり、且つ、被当接部８１の後側部分の間隔Ｌ９未満に設定されている。更に、前後方向へ延設された被当接部８１は、側面視したときに軸部５１の軸心を中心とする円弧状になっており、その径寸法Ｌ１０は、ハンドル２０Ｂの軸受孔５２ｂの中心から当接部８０までの寸法Ｌ１１とほぼ同一になっている。
【００９２】
このような構成のバスケット２０は、ハンドル２０Ｂに対してバスケット本体２０Ａを回動させると、バスケット開口部３３が斜め後ろ下方へ向く所定の状態（第１開口状態）で、当接部８０が被当接部８１の前側部分に接触する。より具体的には、左右の当接部８０が被当接部８１を左右から挟み込むようにして互いに接触する。この状態からバスケット開口部３３が更に下方へ向くようにバスケット本体２０Ａを回動させると、当接部８０は被当接部８１に沿って摺動する。
【００９３】
ここで、当接部８０の間隔Ｌ７は一定であるのに対し、被当接部８１の間隔は後部へ向かうに従って間隔Ｌ８から間隔Ｌ９へと大きくなっている。従って、被当接部８１には、当接部８０から左右方向の中心向きに力が作用するため、各変形部７３，７７が変形してバスケット本体２０Ａは図１１に示したように変形する。その結果、当接部８０が被当接部８１の後端部に至ったときに、バスケット開口部３３は最大の間隔Ｌ９に広がる。なお、当接部８０が被当接部８１の後端部に至ったとき、ハンドル２０Ｂはバスケット本体２０Ａの保持部６７（図８）に当接し、この姿勢が保持される。
【００９４】
以上のような構成により、本実施の形態に係るバスケット２０は、例えば使用者がハンドル２０Ｂの把持部４３を右手で掴み、左手でバスケット本体２０Ａを回動させると、バスケット開口部３３が下方を向く状態でその開口寸法が大きくなる。そのため、集塵袋２１と側面支持壁３０の内面との間に隙間が生じるので、人手で掴まなくても、集塵袋２１は自重によりバスケット本体２０から落下して離脱する。このように、集塵袋２１を容易に廃棄することができる。
【００９５】
しかも、本実施の形態に係るバスケット本体２０の場合、前側変形部７３は底面支持壁３１の左右方向中央部分に設けられ、後側変形部７７は底面支持壁３１の左右部分に離隔して設けられている。換言すれば、図１０の平面図に破線ＶＬで示すように、前側変形部７３及び後側変形部７７は、底面支持壁３１において前側を頂点とし後側を底辺とする三角形を形成するように配置されている。従って、底面支持壁３１は、前側中央部分から後側左右部分へ至る三角形状に（破線ＶＬに沿うようにして）折り目が形成され、ハンドル２０Ｂの回動に連動してバスケット本体２０Ａが開きやすくなっている。
【００９６】
（口板押圧部）
図１４は、バスケット２０を集塵室１１に収納した状態（収縮状態）のときに、集塵袋２１の口板２１ｂをハンドル２０Ｂが支持する構成を示すバスケット２０の側面図である。この図１４に示すように、ハンドル２０Ｂのコーナー支持部４１には、集塵袋２１の口板２１ｂの上端部を、集塵室１１における通気上流方向（即ち、吸気孔１３の方向；図１４における前方）へと押圧する押圧部４１ａと、口板２１ｂをこの押圧部４１ａへと導く誘導部４１ｂとが設けられている。
【００９７】
より具体的には、押圧部４１ａは、上下方向に沿って延びる垂直縁部と、その上端から前方へ延びる水平縁部とで画定される構成となっており、口板支持部３４のみによって支持された状態の口板２１ｂよりも若干前方寄りに位置している。また、誘導部４１ｂは、上方且つ前方へと傾斜して延びる縁部として形成されており、その上端は押圧部４１ａの垂直縁部に接続され、下端は上述した当接部８０に接続されている。
【００９８】
このような押圧部４１ａ及び誘導部４１ｂにより、集塵袋２１の口板２１ｂを吸気孔１３（図２参照）へと付勢することができる。即ち、集塵室１１へバスケット２０が装着され（図１４の「均衡状態」）、蓋部２が閉じられると、蓋部２の内面に押圧されたハンドル２０Ｂは下降して収縮状態となる。このとき、ハンドル２０Ｂの下降に伴って口板２１ｂの上端部が誘導部４１ｂに沿って摺動し、且つ、誘導部４１ｂの傾斜形状に応じて前方へと押圧される。そして、ハンドル２０Ｂが収縮位置に達すると、口板２１ｂの上端は押圧部４１ａにより前方へ付勢された状態で、後方及び上方から支持される。
【００９９】
これにより、吸入空気の圧力にかかわらず、口板２１ｂを吸気孔１３に近接させた状態（あるいは、口板２１ｂを、口板支持部３４の前壁部３４ｂに当接した状態）を維持することができる。従って、吸気孔１３を通じて吸引される塵埃混じりの空気を、より確実に集塵袋２１内へと取り込むことができる。
【０１００】
（膨張阻止部）
図１５は、掃除機本体３の蓋部２に設けられた膨張阻止部９０を示す斜視図である。図１６は、膨張阻止部９０を有する蓋部２を閉じた状態の掃除機本体３の前部断面図である。図１５に示すように、蓋部２の前端下部には膨張阻止部９０が設けられている。この膨張阻止部９０は、ブロック状の外観形状を有しつつ、その下部から上部へ至る通気流路９１を有している。また、膨張阻止部９０は、蓋部２が閉じられた状態では、バスケット２０のハンドル２０Ｂが有するハンドル前側開口部４６（図３，図４参照）に嵌まり込むように配置されている。
【０１０１】
このような膨張阻止部９０を設けた場合、図１６に示すように、集塵袋２１の上部の一部は膨張が阻止され、通気流路９１を通じた空気の通流ルートを確保することができる。即ち、吸気孔１３から集塵袋２１内に取り込まれた空気は、集塵袋２１の後部を通過するルートだけでなく、上部を通過するルートも通って、掃除機本体３の所定の排気口（図示せず）から排出させることができる。従って、集塵袋２１の後部に大量の塵埃が溜まったとしても、吸引力を低下させることなく、塵埃を効率的に捕集することができる。
【０１０２】
また、集塵袋２１の上部が下方に押圧され、膨張が阻止されているため、集塵袋２１を廃棄するためにバスケット２０と取り出す際、把持部４３と集塵袋２１の上部との間に手指を入れやすくもなる。
【０１０３】
（変形例）
図１７は、バスケット本体２０Ａの自然回動を防止するための他の構成を説明するバスケット２０の側面図である。図１７（ａ）に示す例では、バスケット本体２０Ａの側面支持壁３０に、ハンドル２０Ｂの相対的な回動を制限する摩擦部１００が設けられている。この摩擦部１００は、例えば合成ゴム等の静止摩擦係数の大きい素材で構成することができ、バスケット本体２０Ａ及びハンドル２０Ｂの相対的な回動時に、アーム部４２の内側面が摺接するように配置されている。図１７（ａ）では、摩擦部１００は軸部５１を中心とする円周上に設けられている。
【０１０４】
図１７（ｂ）に示す例では、アーム部４２の円弧状を成す下部の周部に、下側ガイド６６の案内壁６６ａと一時的に干渉する干渉突起部１０１が設けられている。この干渉突起部１０１は、バスケット２０が姿勢Ｂ１の状態にあるときには、案内壁６６ａの上端に対して一方側（軸部５１回りの一方側）に位置している。そして、この姿勢Ｂ１からバスケット本体２０Ａが後傾方向へ少し回動すると、干渉突起１０１は案内壁６６ａに干渉し、これを乗り越えて、案内壁６６ａの上端に対して他方側（軸部５１回りの他方側）へ移動するように構成されている。
【０１０５】
上述したような摩擦部１００あるいは干渉突起１０１を設けることにより、バスケット２０を姿勢Ｂ１の状態で安定的に保持することができる。なお、図１７（ａ）又は図１７（ｂ）に示す構成は、先に説明した図９に示す構成に置き換えて採用してもよいし、いずれか２又は３つを同時に併用してもよい。また、図１７（ａ）に示す摩擦部１００は、全回動範囲においてアーム部４２に摺接するように設ける必要はない。例えば、少なくともバスケット開口部３３を上方へ向けた状態を含む回動区間での回動を制限するように、一部分に設けることとしてもよい。また、バスケット本体２０Ａに摩擦部１００を設けるのではなく、ハンドル２０Ｂのアーム部４２において、バスケット本体２０Ａの側面支持壁３０に対向する部分に合成ゴム等の摩擦部を設けることとしてもよい。
【０１０６】
以上に説明したように、本実施の形態に係るバスケット２０は、掃除機１の集塵室１１に着脱可能に装着される集塵袋２１用のバスケット２０であって、集塵袋２１がセットされるバスケット本体２０Ａを備え、該バスケット本体２０Ａは、集塵袋２１を支持する支持壁（側面支持壁３０，底面支持壁３１）と、集塵室１１に装着された状態で上方に開口するバスケット開口部３３とを有し、集塵室１１から取り外された状態でバスケット開口部３３が広がるように構成されている。これにより、集塵室１１に装着された状態よりも集塵室１１から取り外された状態の方が、バスケット開口部３３が広がる。従って、バスケット本体２０Ａと集塵袋２１との間に隙間が形成され、両者間の摩擦抵抗が低減するため、バスケット本体２０Ａから集塵袋２１を取り外しやすくなる。
【０１０７】
また、上記支持壁（底面支持壁３１）は、バスケット開口部３３を広げるように変形する変形部７３，７７を有している。このように、変形部を定めておくと、変形後のバスケット本体２０Ａの全体形状もほぼ一定形状に見積もることができる。そのため、バスケット開口部３３を所望の開き具合とする設計が容易になり、集塵袋２１を容易に取り外すことのできるバスケット２０を、より確実に実現することができる。また、バスケット本体２０Ａを１部品となるよう鋳造等で一体成形することも可能であり、この場合、微細な塵埃によってバスケット２０に不具合が生じるのを抑制することができる。
【０１０８】
また、上述した支持壁（側面支持壁３０，底面支持壁３１）を２〜３つの構成部材によって構成し、各構成部材の接続箇所に変形部を設けることとしてもよい。この場合にも、変形後のバスケット本体２０Ａの全体形状もほぼ一定形状に見積もることができる。そのため、バスケット開口部３３を所望の開き具合とする設計が容易になり、集塵袋２１を容易に取り外すことのできるバスケット２０を、より確実に実現することができる。
【０１０９】
また、ハンドル２０Ｂは、バスケット本体２０Ａの両側方にて回動自在に枢支され、バスケット開口部３３の上方に架け渡されている。これにより、使用者は、ハンドル２０Ｂを持ってバスケット本体２０Ａを掃除機１から容易に取り出すことができる。また、片手でハンドル２０Ｂを把持し、もう片手でバスケット本体２０Ａを回動させてバスケット開口部３３を下方へ向けるなど、集塵袋２１をバスケット本体２０Ａから取り外す作業を容易に行える。
【０１１０】
また、ハンドル２０Ｂは、バスケット本体２０Ａをバスケット開口部３３が下方へ向くように回動させた場合に、該バスケット本体２０Ａに接触する当接部８０を有し、バスケット本体２０Ａは、バスケット開口部３３が下方へ向くようにハンドル２０Ｂに対して回動した場合に、ハンドル２０Ｂの当接部８０に接触する被当接部８１を有している。そして、ハンドル２０Ｂとバスケット本体２０Ａとが相対的に回動するのに伴って、当接部８０と被当接部８１とが互いに接触することにより、バスケット開口部３３が広がるように構成されている。
【０１１１】
このような構成とすることにより、バスケット本体２０Ａをバスケット開口部３３が下方へ向くように回動させる操作と、バスケット開口部３３を広げる操作とを別々に行う必要がない。即ち、バスケット本体２０Ａを回動させる操作をすれば、これに伴ってバスケット開口部３３を広げることができる。従って、より容易な操作によって、バスケット本体２０Ａから集塵袋２１を離脱させることができる。
【産業上の利用可能性】
【０１１２】
以上のように本発明に係る電気集塵掃除機用のバスケット及び電気集塵掃除機は、集塵袋を容易に取り外すことができるバスケット及び電気集塵掃除機に対して、好適に適用することができる。
【符号の説明】
【０１１３】
１        電気集塵掃除機
２        蓋部
３        掃除機本体
１１      集塵室
１３      吸気孔
２０      バスケット
２０Ａ    バスケット本体
２０Ｂ    ハンドル
２１      集塵袋
２１ａ    集塵孔
２１ｂ    口板
２１ｃ    袋体
３０      側面支持壁
３１      底面支持壁
３３      バスケット開口部
３４      口板支持部
４２      アーム部
４３      把持部
４４      補強部
５０      連結機構
７３      変形部
７７      変形部
【図２】
0005945864.tif 000002
【図３】
0005945864.tif 000003
【図４】
0005945864.tif 000004
【図５】
0005945864.tif 000005
【図６】
0005945864.tif 000006
【図７】
0005945864.tif 000007
【図８】
0005945864.tif 000008
【図９】
0005945864.tif 000009
【図１０】
0005945864.tif 000010
【図１１】
0005945864.tif 000011
【図１２】
0005945864.tif 000012
【図１３】
0005945864.tif 000013
【図１４】
0005945864.tif 000014
【図１５】
0005945864.tif 000015
【図１６】
0005945864.tif 000016
【図１７】
0005945864.tif 000017
【図１】
0005945864.tif 000018